(57)【要約】【課題】尿を速やかに吸収することが可能であり簡易な構造を有する使い捨てのパンツ型おむつの提供。【解決手段】使い捨てのパンツ型おむつ１が股下域６の内面シート３２の内側に股下域６を横断するシート片５１を有する。シート片５１は、上縁部における横方向Ｂの中央部５２が股下域６の最下部６ａよりも前方において股下域６の横方向Ｂの中央部に接合し、シート片５１の両側縁部５３のそれぞれが股下域６の最下部６ａよりも後方において股下域６の両側縁部それぞれに接合して、股下域６はシート片５１の中央部５２と接合する部分がおむつ１の内側に向かって突出可能に形成される。【選択図】図２
2008307272.tif 000002
【特許請求の範囲】
【請求項１】
互いに直交する前後方向と横方向と上下方向とを有し、股下域と前記股下域の前方に位置する前胴周り域と前記股下域の後方に位置する後胴周り域とによってパンツ型に形成され、前記股下域と前記前胴周り域と前記後胴周り域とのうちの少なくとも前記股下域には透液性内面シートと不透液性外面シートとこれら両シート間に介在する体液吸収性の芯材とによって体液吸収部が形成されている使い捨てのパンツ型おむつであって、
前記股下域には、前記内面シートの内側において前記股下域を横断するシート片が設けられ、
前記シート片は、前記横方向へ互いに並行して延びる上縁部と下縁部と、前記上下方向へ互いに並行して延びる両側縁部とを有し、前記上縁部の前記横方向の中央部が前記股下域の最下部よりも前方において前記股下域の前記横方向の中央部に接合するとともに、前記両側縁部のそれぞれが前記股下域の前記最下部よりも後方において前記股下域の両側縁部それぞれに接合しており、前記上縁部に接合する前記股下域の前記中央部が前記おむつの着用状態において前記おむつの内側に向かって突出可能に形成されていることを特徴とする前記パンツ型おむつ。
【請求項２】
前記股下域の前記両側縁部が、前記体液吸収部の両側縁部、前記体液吸収部の前記両側縁部それぞれから前記横方向へ延出する防漏フラップ、前記体液吸収部の前記両側縁部それぞれにおいて前記体液吸収部に対して起立可能に形成された防漏カフのいずれかである請求項１記載のパンツ型おむつ。
【請求項３】
前記シート片が前記横方向において弾性的に伸長可能なものである請求項１または２記載のパンツ型おむつ。
【請求項４】
前記シート片は、前記上縁部と前記下縁部との間の寸法が少なくとも５０ｍｍであって、前記股下域の前記最下部よりも後方の部分との間に便を受容可能なポケットを形成している請求項１〜３のいずれかに記載のパンツ型おむつ。
【請求項５】
前記シート片の前記下縁部が前記内面シートに接合している請求項１〜４のいずれかに記載のパンツ型おむつ。
【発明の詳細な説明】
【技術分野】
【０００１】
この発明は使い捨てのパンツ型おむつに関し、より詳しくは尿を速やかに吸収することが可能な前記おむつに関する。
【背景技術】
【０００２】
従来、使い捨てのパンツ型おむつは周知である。また、そのようなおむつであって、股下域の前方部分が肌に密着可能に形成されたものは公知である。例えば、特開２００２−１１０４４号公報（特許文献１）に開示のおむつは、トップシートとスキンコンタクトシートとの間に便を受容可能な空隙を有し、スキンコンタクトシートには、便を導き入れるための開口部が形成されている。トップシートとバックシートとの間には第１の吸収体が介在しており、スキンコンタクトシートは前身頃に第２の吸収体を含んでいる。スキンコンタクトシートはまた、おむつの前後方向へ伸長された状態にある弾性部材を含んでいる。
【特許文献１】特開２００２−１１０４４号公報
【発明の開示】
【発明が解決しようとする課題】
【０００３】
特許文献１に開示のおむつは、スキンコンタクトシートが含む弾性部材の作用を利用してスキンコンタクトシートを尿道口周辺の肌に密着させると、第２の吸収体が尿を吸収する。また、便がスキンコンタクトシートに形成された開口部を通ってスキンコンタクトシートとトップシートとの間の空隙に進入すると、第１の吸収体が便に含まれた水分を吸収する。本発明者が知見したところによれば、このような構造のおむつでは、尿を吸収するための吸収体と、便の水分を吸収するための吸収体という個別の吸収体を使用するから、吸収体を１個だけ使用するおむつと比べると、おむつの構造が複雑になるという問題を生じる。また、それが原因となって、おむつの製造コストが嵩むという問題も生じかねない。
【０００４】
そこで、この発明は、前記問題を解消するために、尿を速やかに吸収することが可能であって簡易な構造を有する使い捨てのパンツ型おむつの提供を課題にしている。
【課題を解決するための手段】
【０００５】
前記課題を解決するために、この発明が対象とするのは、互いに直交する前後方向と横方向と上下方向とを有し、股下域と前記股下域の前方に位置する前胴周り域と前記股下域の後方に位置する後胴周り域とによってパンツ型に形成され、前記股下域と前記前胴周り域と前記後胴周り域とのうちの少なくとも前記股下域には透液性内面シートと不透液性外面シートとこれら両シート間に介在する体液吸収性の芯材とによって体液吸収部が形成されている使い捨てのパンツ型おむつである。
【０００６】
かかるおむつにおいて、この発明が特徴とするところは、次のとおりである。前記股下域には、前記内面シートの内側において前記股下域を横断するシート片が設けられる。前記シート片は、前記横方向へ互いに並行して延びる上縁部と下縁部と、前記上下方向へ互いに並行して延びる両側縁部とを有し、前記上縁部の前記横方向の中央部が前記股下域の最下部よりも前方において前記股下域の前記横方向の中央部に接合するとともに、前記両側縁部のそれぞれが前記股下域の前記最下部よりも後方において前記股下域の両側縁部それぞれに接合しており、前記上縁部に接合する前記股下域の前記中央部が前記おむつの着用状態において前記おむつの内側に向かって突出可能に形成されている。
【０００７】
この発明の好ましい実施形態の一つにおいて、前記股下域の前記両側縁部が、前記体液吸収部の両側縁部、前記体液吸収部の前記両側縁部それぞれから前記横方向へ延出する防漏フラップ、前記体液吸収部の前記両側縁部分それぞれにおいて前記体液吸収部に対して起立可能に形成された防漏カフのいずれかである。
【０００８】
この発明の好ましい実施形態の他の一つにおいて、前記シート片が前記横方向において弾性的に伸長可能なものである。
【０００９】
この発明の好ましい実施形態の他の一つにおいて、前記シート片は、前記上縁部と前記下縁部との間の寸法が少なくとも５０ｍｍであって、前記股下域の前記最下部よりも後方の部分との間に便を受容可能なポケットを形成している。
【００１０】
この発明の好ましい実施形態のさらに他の一つにおいて、前記シート片の前記下縁部が前記内面シートに接合している。
【発明の効果】
【００１１】
この発明に係るパンツ型おむつは、股下域を横断するシート片がその上縁部の中央部において股下域の前方における中央部に接合する一方、シート片の両側縁部のそれぞれが股下域の後方において股下域の両側縁部それぞれに接合して、股下域の前方における中央部がおむつ着用状態においておむつの内側に突出可能であるから、このおむつを着用すると、その突出している中央部が尿道口周辺の肌に接触して、尿道口から流れ出る尿や尿道口から肌を伝って流れる尿を股下域に形成された体液吸収部において速やかに吸収する。
【００１２】
股下域の前方における中央部をこのように作用させるシート片の両側縁部それぞれが接合する股下域の両側縁部それぞれとしては、股下域における体液吸収部の両側縁部、体液吸収部の両側縁部から延出する防漏フラップ、体液吸収部の両側縁部において起立可能に形成された防漏カフのいずれかを選ぶことができる。しかし、比較的剛性の高い芯材を含む体液吸収部の両側縁部を選ぶならば、股下域における前方の中央部を突出させることが容易になる。また、防漏カフを選ぶならば、シート片と股下域の後方の部分との間に形成されるポケットの容積を大きくすることができる。
【００１３】
シート片が横方向において弾性的に伸長可能である形態のおむつでは、おむつを着用したときに着用者の脚がシート片に接触すると、シート片が速やかに変形するので、シート片の存在によっておむつの着用感が悪くなるということがない。
【００１４】
シート片の上縁部と下縁部との間の寸法が少なくとも５０ｍｍであって、シート片と股下域の後方の部分との間に便を収容可能なポケットが形成されている形態のおむつでは、便によって尿道口の周辺を汚すことがない。
【００１５】
シート片の下縁部がおむつの内面シートに接合している形態のおむつでは、ポケットに受容された便が股下域の前方へ移動することを確実に防ぐことができる。
【発明を実施するための最良の形態】
【００１６】
添付の図面を参照して、この発明に係る使い捨てパンツ型おむつの詳細を説明すると、以下のとおりである。
【００１７】
図１は、着用状態にある使い捨てのパンツ型おむつ１の斜視図であって、おむつ１の前後方向と横方向と上下方向とが互いに直交する双頭矢印Ａ，Ｂ，Ｃで示されている。おむつ１は、股下域６と、前胴周り域７と、後胴周り域８とを有し、前後胴周り域７，８は、それぞれの側縁部１１，１２が合掌状に重なり合い、部位１３において互いに接合して、胴周り開口１４を形成している。前後胴周り域７，８はまた、股下域６と協働して一対の脚周り開口１６を形成している。
【００１８】
図２は、図１のおむつ１の部分破断図である。前後胴周り域７，８のそれぞれは、不織布で形成された内面シート２１と外面シート２２とを接着または溶着により接合することにより形成されていて、両シート２１，２２の間には、複数条の胴周り弾性部材２３と複数条の第１脚周り弾性部材２４とがあって、これら弾性部材２３，２４が両シート２１，２２の少なくとも一方に伸長状態で接合している。
【００１９】
股下域６は、図１においてほぼＵ字形を呈するように湾曲しているパネル状部材１０の一部分によって形成されている。パネル状部材１０は、不織布で形成された透液性内面シート３２とプラスチックフィルムで形成された不透液性外面シート３３とが体液吸収性の芯材３１を実質的にサンドウィッチ状に被覆している体液吸収部４１を含むものであって、外面シート３３はその肌触りを向上させるために不織布３４で覆われている。ここで、芯材３１を内面シート３２と外面シート３３とで実質的にサンドウィッチ状に被覆するとは、図示の如く芯材３１の縁部から内面シート３２と外面シート３３とを延出させることによって芯材３１を被覆する態様の他に、芯材３１の内面の全体と芯材３１の外面の少なくとも一部分とを内面シート３２で被覆しておいてから、芯材３１の外面を外面シート３３で被覆する態様を含んでいる。かようなパネル状部材１０は、中間部３６が股下域６を形成し、股下域６から上方へ延びた前端部３７が前胴周り域７の内面に接着剤（図示せず）を介して接合している。パネル状部材１０の後端部３８は後胴周り域８の内面に接合している。
【００２０】
パネル状部材１０は、体液吸収部４１の他に、芯材３１の側縁部から延出する内面シート３２と外面シート３３とが互いに接合して形成している防漏フラップ４２を含んでいる。防漏フラップ４２は、内面シート３２と外面シート３３との間において芯材３１に沿って延びていて、内面シート３２と外面シート３３との少なくとも一方に伸長状態で接合している第２脚周り弾性部材４３を含んでいる。この第２脚周り弾性部材４３は、脚周り開口１６の下方に位置するもので、脚周り開口１６の上方に位置する第１脚周り弾性部材２４と協働して脚周り開口１６の周縁部において環状に延びる弾性域を形成している。図１，２において、胴周り弾性部材２３と第１，第２脚周り弾性部材２４，４３とは、伸長状態にあって、おむつ着用者（図示せず）の胴周りと脚周りとに密着している。
【００２１】
さらに図２において、股下域６における内面シート３２の内側では、股下域６を横切るようにシート状の横断部材５１が延びている。横断部材５１は、横方向Ｂの中央部５２（図３，４参照）がおむつ１の横方向Ｂの寸法を二等分する縦中心線Ｐ−Ｐ上において股下域６に接合するとともに、横方向Ｂの両側に位置する側縁部５３（図３，４参照）それぞれが股下域６の両側縁部それぞれに接合している。横断部材５１の中央部５２は、股下域６のうちで最下部６ａよりも前方に位置する前部６ｂに接合し、側縁部５３が股下域６のうちで最下部６ａよりも後方に位置する後部６ｃ（図３，４参照）に接合していて、中央部５２は、股下域６の前部６ｂをおむつの内側に向かって突出させている。
【００２２】
図３，４は、図１のＩＩＩ−ＩＩＩ線断面図とＩＶ−ＩＶ線断面図とである。なお、ＩＶ−ＩＶ線は、参考のために図３にも示されている。横断部材５１は、中央部５２がホットメルト接着剤６４（図５参照）を介して股下域６の前部６ｂにおける内面シート３２に接合し、両側縁部５３のそれぞれが股下域６の後部６ｃにおける両側縁部それぞれの内面シート３２に接合している。股下域６の前部６ｂは、横断部材５１によって引っ張られていて、横断部材５１と接合している横方向Ｂの中央部が頂部となるように、おむつ１の内側に向かって突出している。
【００２３】
図５は、図１のおむつ１において、前後胴周り域７，８の側縁部１１，１２どうしの接合を解き、これら前後胴周り域７，８と股下域６とを前後方向Ａと横方向Ｂとに伸展した状態にある平坦なおむつ１ａの部分破断平面図である。ただし、横断部材５１については、おむつ１ａからおむつ１を得るときに使用される形状の一例が示されている。おむつ１ａにおける前方部材７０と後方部材８０とは、おむつ１の前胴周り域７と後胴周り域８とを形成するものであり、また、おむつ１ａにおいて平坦な矩形を成しているパネル状部材１０は、おむつ１におけるＵ字形のパネル状部材１０となるものである。おむつ１ａは中心線Ｐ’−Ｐ’に関して対称なもので、この中心線Ｐ’−Ｐ’は図１の中心線Ｐ−Ｐに対応している。図５において横方向Ｂへ延びる線Ｑ−Ｑは、中心線Ｐ’−Ｐ’上におけるおむつ１ａの寸法を二等分する横方向中心線であって、図１におけるおむつ１の最下部６ａはこの横方向中心線Ｑ−Ｑ上にある。
【００２４】
前方部材７０と後方部材８０とにおいて、内面シート２１と外面シート２２とは接着剤６０を介して接合している。これら両シート２１，２２との間には、胴周り弾性部材２３と第１脚周り弾性部材２４とが伸長状態で介在している。
【００２５】
パネル状部材１０において、体液吸収性芯材３１は、それを被覆している透液性内面シート３２に対してホットメルト接着剤６１ａを介して接合し、不透液性外面シート３３に対してホットメルト接着剤６１ｂを介して接合している。これら内面シート３２と外面シート３３とは、芯材３１の周縁から延出する部分で重なり合い、ホットメルト接着剤６１ａおよび／またはホットメルト接着剤６１ｂを介して互いに接合しており、股下域６においては、重なり合った内面シート３２と外面シート３３とが防漏フラップ４２を形成している。防漏フラップ４２は、伸長状態にある第２脚周り弾性部材４３を含んでいるから、中心線Ｐ’−Ｐ’に沿う方向において、弾性的に収縮可能である。外面シート３３をその外側から覆う不織布３４は、ホットメルト接着剤６２を介して外面シート３３に接合している。また、その不織布３４は、ホットメルト接着剤６３を介して前方部材７０と後方部材８０とにおける内面シート２１に接合している。
【００２６】
図５における横断部材５１は、股下域の後部６ｃにある。その横断部材５１は横方向Ｂへ延びていて、中心線Ｐ’−Ｐ’上に位置する中央部５２と、両側縁部５３と、上縁部５１ａと、下縁部５１ｂとを有し、両側縁部５３のそれぞれが接着または溶着により股下域６の両側縁部それぞれ、より具体的にはその側縁部それぞれの一部を形成している体液吸収部４１の縁部における内面シート３２に接合した状態にある。中央部５２には、少なくとも上縁部５１ａの近傍に接着剤６４が塗布されている。横断部材５１は、両側縁部５３間の実寸が図示された両側縁部５３間の直線距離よりも長いものであるが、中央部５２と両側縁部５３それぞれとの間にタックをとるように折り重ね部位６６を設けることによって、図５では横方向Ｂへ直線的に延びている。折り重ね部位６６それぞれを伸展させたときの横断部材５１の全長は、図２，４においてほぼＶ字形を画いている横断部材５１の全長に等しい。なお、横断部材５１の側縁部５３は、仮想線で示されるように横方向Ｂへ延ばして、股下域６の側縁部の一部分を形成している防漏フラップ４２に接合することも可能である。
【００２７】
おむつ１ａから図１のおむつ１を得るには、パネル状部材１０が内側となるようにしておむつ１ａを横中心線Ｑ−Ｑに沿って折り重ねる。そのときに、横断部材５１の中央部５２を内面シート３２に対して仮想線で示された部位６７において接合する。部位６７は、股下域６における横方向Ｂの中央に位置しており、内面シート３２が中央部５２と向き合うこととなる部位である。このときの接合には、接着剤６４を使用する。また、前方部材７０と後方部材８０とは、側縁部１１，１２どうしを部位１３において接合する。このようにして得られるおむつ１の横断部材５１は両側縁部５３間の実寸が、股下域６の前部６ａをおむつ１の内側へ向かって突出させることができるように（図２〜４参照）調整されている。
【００２８】
得られたおむつ１は、それを着用すると、股下域６の前部６ｂが尿道口周辺の肌に接触し易く、接触したときには、尿道口から流出する尿を速やかに吸収することができる。また、着用者が女性であれば、尿道口から肌を伝って流れる尿も速やかに吸収することができる。
【００２９】
図５のおむつ１が乳幼児用のものである場合、股下域６の最下部６ａから横断部材５１の上縁部５１ａまでの寸法は、５０〜１００ｍｍであることが好ましい。ただし、横断部材５１は、おむつ１の上下方向Ｃにおいて、股下域６の最下部６ａから横断部材５１の上縁部５１ａまでの距離を調整し、おむつ１を着用したときに着用者の脚のつけ根近傍に上縁部５１ａが接触して、横断部材５１が下方へ多少押し下げられるようにしておくと、股下域６の前部６ｂを肌へ接触させることが容易になる。横断部材５１の上縁部５１ａから下縁部５１ｂまでの寸法Ｗ（図５参照）に格別の規定はないが、横断部材５１ａが図示例の如く帯状のものである場合のその寸法Ｗの一例は、５〜２０ｍｍである。横断部材５１は、非弾性的な不織布やプラスチックフィルム等のシート材料によって作ることができるものであるが、横方向Ｂに弾性的に伸長可能なシート材料によって作ることもできる。横断部材５１がこれら非弾性的なシート材料や弾性的なシート材料によって形成されていて、おむつ１を畳んで包装するときに多数のギャザーを生じて嵩張るということがないものであるときには、おむつ１の包装体がコンパクトなものになって、おむつ１の保存や輸送のためのスペースを節約することができる。
【００３０】
おむつ１において、内面シート３２には不織布や開孔プラスチックフィルムを使用することができる。外面シート３３にはプラスチックフィルムを使用することができる。芯材３１には、粉砕パルプや高吸水性ポリマー粒子、これらパルプとポリマー粒子との混合物等の体液吸収性材料を使用することができる。その体液吸収性材料は、好ましくはティシュペーパ等の透液性にして液拡散性に優れたシートで被覆しておく。前胴周り域７を形成している前方部材７０と後胴周り域８を形成している後方部材８０とにおいて、胴周り弾性部材２３を追加し、前後胴周り域７，８の全体を弾性的に伸長可能にすることもできる。また、前方部材７０と後方部材８０とに、横方向Ｂへ弾性的に伸長可能なシート材料を使うこともできる。
【００３１】
図６は、この発明の一実施形態を示す図５と同様な図である。図６のおむつ１ａでは、横断部材５１として、図５の横断部材５１と比べて上縁部５１ａから下縁部５１ｂまでの寸法Ｗが大きく、下縁部５１ｂが股下域６の最下部６ａに届くものが使用されている。おむつ１ａが乳幼児用のものである場合に、図６の横断部材５１の上縁部５１ａと下縁部５１ｂとの間の寸法Ｗは５０〜１００ｍｍに広げることができる。このような横断部材５１を有するおむつ１ａから得られるおむつ１は、横断部材５１よりも後方にポケット１００を有するものになるので、そのポケット１００の開口におむつ着用者の肛門（図示せず）が来るように横断部材５１を股下域６に取り付けておくことによって、股下域６において便と尿とが混合されることを防ぐことができる。横断部材５１は、中央部５２の一部または全部を股下域６の前部６ｂに対して接合することができるのであるが、中央部５２の一部のみを前部６ｂに接合するときには、上縁部５１ａを前部６ｂに接合する。横断部材５１は、また、下縁部５１ｂを股下域６の最下部６ａにおける内面シート３２に接合することができる。
【００３２】
図７，８もまた、この発明の実施形態の一例を示す図５と同様な図と、その図のＶＩＩＩ−ＶＩＩＩ線切断面を示す図である。図７，８のおむつ１ａでは、股下域６の両側縁部それぞれに防漏カフ９０が形成されている。防漏カフ９０は、帯状の不織布またはプラスチックフィルムを横方向ＢへＺ字型または逆Ｚ字型に折り畳むことによって形成されていて、図８に示されるように底辺部分８１と、頂辺部分８２と、中間辺部分８３とを有する。股下域６において、底辺部分８１は、ホットメルト接着剤８４を介して内面シート３２に接合している。頂辺部分８２は、縁部８２ａに弾性部材８６が伸長状態で取り付けられている。前方部材７０と後方部材８０とにおける防漏カフ９０の一部分は、底辺部分８１と中間辺部分８３、および中間辺部分８３と頂辺部分８２がホットメルト接着剤８７を介して接合している。横断部材５１は、両側縁部５３のそれぞれがホットメルト接着剤８９を介して頂辺部分８２の縁部８２ａに接合している。この縁部８２ａは、股下域６の側縁部に含まれる部分である。このようなおむつ１ａを横中心線Ｑ−Ｑに沿って折曲し、横断部材５１の中央部５２を股下域６の前方部分６ｂに接合するとともに、前後胴周り域７，８の側縁部１１，１２どうしを接合すると、パネル状部材１０が股下域６においてＵ字形を画くように湾曲することに伴い、防漏フラップ４２の弾性部材４３と、防漏カフ９０の弾性部材８６とが収縮する。その結果として、防漏フラップ４２と防漏カフ９０とが、図８に例示されるように、パネル状部材１０における体液吸収部４１の内面に対して起立する傾向を示し、おむつ着用者の脚周り（図示せず）に密着し易くなる。横断部材５１の両側縁部５３は、そのような挙動を示す防漏カフ９０の縁部８２ａに取り付けられていて、防漏カフ９０が高く起立することを可能にする。
【００３３】
図９もまた、この発明の実施形態の一例を示す図４と同様な図であるが、図９のおむつ１には、股下域６において使用される各種接着剤も図示されている。図９の股下域６において、前部６ｂの内面シート３２と芯材３１とはホットメルト接着剤６1ａを介して接合しているが、外面シート３３と芯材３１とは横方向Ｂの中央において接合しておらず、横断部材５１によって内面シート３２がおむつ１の内側へ引っ張られると、外面シート３３と芯材３１とが横方向Ｂの中央において離間して芯材３１がおむつ１の内側へ突出する一方、外面シート３３とそれに接合している不織布３４とはおむつ１の外側へ突出するように弧を画くことが可能である。そのような態様にあるときのおむつ１は、股下域６の前部６ｂが図４の如くに局部的にはへこんでいないので、前部６ｂに図柄や文字が画かれていても、その図柄や文字が歪んで見えにくくなるということがない。
【産業上の利用可能性】
【００３４】
この発明によれば、体液吸収部を尿道口周辺の肌に接触させることが容易で、尿を速やかに吸収することが可能な使い捨てのパンツ型おむつの製造が可能になる。
【図面の簡単な説明】
【００３５】
【図１】おむつの斜視図。
【図２】おむつの部分破断斜視図。
【図３】図１のＩＩＩ−ＩＩＩ線断面図。
【図４】図１のＩＶ−ＩＶ線断面図。
【図５】図１のおむつを分解して伸展し、部分的に破断して示す図。
【図６】実施形態の一例を示す図５と同様な図。
【図７】実施形態の他の一例を示す図５と同様な図。
【図８】図７のＶＩＩＩ−ＶＩＩＩ線切断面を示す図。
【図９】実施形態の一例を示す図４と同様な図。
【符号の説明】
【００３６】
１    パンツ型おむつ
６    股下域
６ａ    最下部
７    前胴周り域
８    後胴周り域
３１    芯材
３２    内面シート
３３    外面シート
４１    体液吸収部
４２    防漏フラップ
５１    シート片（横断部材）
５１ａ    上縁部
５１ｂ    下縁部
５２    中央部
５３    側縁部
９０    防漏カフ
１００    ポケット
Ａ    前後方向
Ｂ    横方向
Ｃ    上下方向
【図１】
2008307272.tif 000003
【図２】
2008307272.tif 000004
【図３】
2008307272.tif 000005
【図４】
2008307272.tif 000006
【図５】
2008307272.tif 000007
【図６】
2008307272.tif 000008
【図７】
2008307272.tif 000009
【図８】
2008307272.tif 000010
【図９】
2008307272.tif 000011